(57)【特許請求の範囲】
【請求項１】
靴底接地部（アウトソール）が、５４〜６２（ＪＩＳ−Ａ２０℃）の硬さを有するゴム、ポリ塩化ビニル、ポリウレタンからなり、最薄部の厚さが１ｍｍ以上４ｍｍ以下であり、靴底接地部（アウトソール）の接地部面の形状が、多角形、円形などの独立したブロック意匠であって、それらが集合して靴底全体のパターンを形成し、ブロック意匠パターンのトップには、凹凸模様がなく、フラット（平面）であり、該ブロック意匠が陥没しにくく、かつ、倒れにくいような強度を有するように、該接地部（アウトソール）と同等以上の硬さを有する中底又はミッドソールを有して構成されていることを特徴とする耐滑靴底。
【請求項２】
ブロック意匠パターンは、意匠高さが１ｍｍ以上７ｍｍ以下で、意匠勾配が０度〜３度、意匠パターンの最小寸法が２ｍｍ〜８ｍｍである請求項１記載の耐滑靴底。
【発明の詳細な説明】
【０００１】
【発明の属する技術分野】
本発明は、耐滑靴底に関するものである。
【０００２】
【従来の技術】
滑りの現象は、一般に摩擦力に置き換えて数値化され、評価される。まさつは、静摩擦と動摩擦に大別され、履き物の滑りも同様である。
静摩擦とは、いうならば滑り始めであり、例えば、着地時の滑りにくさを評価する際に使われる。それに対し、動摩擦は、滑っているときのストップ性、止まりにくさを評価する際に使われ、静摩擦と動摩擦がセットになって本当の意味での耐滑性のある履き物といえる。
【０００３】
履き物として使用される材料には、ゴム、ポリウレタン、ポリ塩化ビニル、熱可塑性エラストマー、エチレンビニルアセテート（ＥＶＡ）などがあげられるが、油などが存在して、特に耐滑性が要求される環境で使用されることが多い安全靴の底材料は、合成ゴム、ポリウレタン（ＰＵ）が主流である。
【０００４】
【発明が解決しようとする課題】
ここで、ゴムの静摩擦と動摩擦をみてみると、一般的にゴムの摩擦計数は、静摩擦係数の方が動摩擦係数よりも大きい。つまり、ゴムは、滑り出しにくいが、滑り出すと、止まりにくいということである。従って、ゴム底の場合は、動摩擦係数をいかに大きくするかが耐滑性に優れた靴底を開発するポイントであった。
【０００５】
そこで、従来は、配合で底の硬さを低くして、柔軟性を出し、それにより摩擦抵抗を上げたり、接地面の意匠パターンを、例えば、図１０及び図１１に示すように「ノコギリ意匠」にしたり、図１２及び図１３に示すように「打ち込み意匠」にするなど工夫したりしていたが、特に油があるような床面において静摩擦、動摩擦ともに満足するような耐滑性に優れた履き物はこれまでなかった。
【０００６】
例えば、図１５に示す二層底３では、ミッドソール４が柔らかくて、接地部（アウトソール）５が薄い場合は、接地部（アウトソール）５のブロック意匠６の取付部が変形をおこし、床面を捉え続けることができず、滑ってしまう。
【０００７】
また、図１０及び図１１に示すような「ノコギリ意匠」パターンは、図１６に示すように容易に変形してしまうので、ふんばりがきかず、床面３７を滑ってしまう。さらに、図１２及び図１３に示すような意匠のトップにさらに凹凸模様の「打ち込み意匠」３８を付けた意匠パターンの場合は床面３７に水や油などの流体があると、図１７に示すようにこれらの膜を切ることができず、床面３７を捉え続けることができなくなってしまう。
本発明は、床面に水膜や油膜があっても、ブロック意匠が変形することなく、これらの膜を切り、床面をがっちり捉え続ける耐滑靴底を提供することを目的とするものである。
【０００８】
【課題を解決するための手段】
上記の目的を達成するために、本発明は、
（１）  靴底接地部（アウトソール）が、５４〜６２（ＪＩＳ−Ａ ２０℃）の硬さを有するゴム、ポリ塩化ビニル、ポリウレタンからなり、最薄部の厚さが１ｍｍ以上４ｍｍ以下であり、靴底接地部（アウトソール）の接地面部の形状が、多角形、円形などの独立したブロック意匠であって、それらが集合して靴底全体のパターンを形成し、ブロック意匠パターンのトップには、凹凸模様がなく、フラット（平面）であり、該ブロック意匠が陥没しにくく、かつ、倒れにくいような強度を有するように、該接地部（アウトソール）と同等以上の硬さを有する中底又はミッドソールを有して構成されていることを特徴とし、
（２）  （１）項記載の耐滑靴底において、ブロック意匠パターンは、意匠高さが１ｍｍ以上７ｍｍ以下で、意匠勾配が０度〜３度、意匠パターンの最小寸法が２ｍｍ〜８ｍｍであることを特徴とするものである。
【０００９】
【発明の実施の形態】
接地部（アウトソール）の材料は、ゴム、ポリ塩化ビニル、ポリウレタンであり、その硬さが、５４〜６２（ＪＩＳ−Ａ  ２０℃）であり、最薄部の厚さが１ｍｍ以上４ｍｍ以下であり、中底又はミッドソールの硬さを接地部（アウトソール）の硬さと同等以上にする。なお、最薄部の厚さが１ｍｍ未満であると、中底やミッドソールを硬くしても、接地部（アウトソール）が図１５に示すように波打つ状態になり、ふんばりがきかなくなって、転んでしまう。最薄部の厚さが４ｍｍを超えると、重量が増加するだけでなく、屈曲性が低下する。
【００１０】
耐滑靴底の接地部（アウトソール）に設ける意匠は、多角形、円形などのブロック意匠とし、その意匠高さ、意匠勾配、最小寸法（幅）が相互に関係し、かつ、ブロック意匠のトップは、フラット（平面）で、凹凸模様がない方がよい。ブロック意匠の高さは、１ｍｍから７ｍｍが必要である。１ｍｍ未満では、着用中に荷重が加わることによって、ブロック意匠が変形し、ブロック意匠のないフラットな靴底と変わりなく、引っ掛かりがなくなってしまうので、滑りやすくなる。また、７ｍｍを超えると、ブロック意匠が高くなりすぎて、逆に不安定になってしまう。
【００１１】
ブロック意匠の意匠勾配は、０度〜３度がよい。０度は、つまり直角であるが、引っ掛かりができて、ストップ性がよくなる。３度を超えると、ブロック意匠のエッジ部が寝てしまうので、引っ掛かりがなくなり、ストップ性が低下する。ブロック意匠に適度の剛性をもたせるために必要な勾配である。
【００１２】
意匠パターンの最小寸法とは、例えば、円形のブロック意匠であれば、その直径、四角形であれば、相対する二辺の最短距離をいう。この最小寸法は、２ｍｍ以上８ｍｍ以下であることが必要である。２ｍｍ未満であると、図１０及び図１１に示す「ノコギリ意匠」と同様の現象になってしまう。８ｍｍを超えると、床面との接触面積が大きくなりすぎ、無意匠と同じようになってしまう。なお、意匠パターンは、床面全面でも、踏み付け中央部、踵部など部分的でもよい。靴底には、縦、横に湾曲したカーブがあるので、静置した状態で床面と接触する部分さえ確保すれば、靴底全面でなくても同様の効果が得られる。
【００１３】
耐滑靴底の構造において、接地面のブロック意匠そのものは、しなやかで、かつ、床面を捉えたまま放さない構造である方がよい。ブロック意匠に垂直方向から力がかかった場合、ブロック意匠が陥没せずに反発し、力を床面に伝える必要がある。また、ブロック意匠に横方向から力がかかった場合、ブロック意匠が変形しないで、滑り出しても、床面を捉え続ける必要がある。そのためには、接地部の硬さと最薄部の厚さ、その上部にある中底又はミッドソールの硬さとは重要なファクターとなる。
【００１４】
上記発明の実施の形態に係る耐滑靴底では、床面に水や油などの流体があっても、ブロック意匠が変形することなく、これらの膜を切り、床面をがっちりと捉え続けることができる。
【００１５】
【実施例】
以下図１乃至図８にもとづいて本発明の実施例を説明すると、図１において７は耐滑靴底で、これは、５４〜６２（ＪＩＳ−Ａ  ２０℃）の硬さを有するゴム、ポリ塩化ビニル、ポリウレタンにより、図３乃至図５に示した最薄部８の厚さが１ｍｍ以上４ｍｍ以下で、靴底面の不踏部９を除いた接地部には、小型長方形のブロック意匠１０を図１に示すように交互に逆向きの斜線に沿って配列したブロック意匠パターン１１を有するように成形されてなる。
【００１６】
耐滑靴底７は図３又は図４に示すように中底１２Ａ又はミッドソール１３と接地部（アウトソール）１２の二層底として成形したりする。接地部（アウトソール）１２の材料が、ゴム、ポリ塩化ビニル、ポリウレタンで、５４〜６２（ＪＩＳ−Ａ２０℃）であり、最薄部の厚さが上述のように１ｍｍ以上４mm以下である場合は、接地部（アウトソール）１２の上部にある中底１２Ａ又はミッドソール１３の硬さを接地部（アウトソール）１２の硬さと同等以上の硬さにする。
【００１７】
ブロック意匠パターン１１は、図５に示した意匠高さが１ｍｍ以上７ｍｍ以下、図５に示した意匠勾配１５が０度〜３度、図４及び図６に示した最小寸法が２ｍｍ〜８ｍｍであり、トップには、凹凸模様がなく、フラットである。
【００１８】
図２において１７は耐滑靴底で、これは、上記耐滑靴底７の材料と同じ材料により、図３乃至図５に示した最薄部８の厚さが１ｍｍ以上４ｍｍ以下で、靴底面のうち、爪先部１８と踵後端部１９には、小型正方形のブロック意匠２０が等間隔をおいて一列に並んだブロック意匠列２１を複数列設け、爪先部１８と不踏部２２の間の部分には、中央部に「へ」の字型に折曲した８個のブロック意匠２３を等間隔をおいて設け、ブロック意匠２３の両側において、それらの各間隔へ喰い込む三角形であって、トップに１本の溝２６を有する４個ずつのブロック意匠２７、２７を設け、ブロック意匠２７、２７に接近した位置及び爪先部１８側と不踏部２２側のブロック意匠２４、２４の間隔へ喰い込む位置から耐滑靴底１７の側縁に至る角形であって、トップに１本の溝２８を有する７個ずつのブロック意匠２９、２９（不踏部２２側のブロック意匠２９、２９のトップには、別の溝３０、３０が追加されている。）を設け、踵後端部１９と不踏部２２の間の部分には、中央部に窪み３１を設け、窪み３１の両側から耐滑靴底１７の側縁に至る角形であって、トップに１本の溝３２を有する３個ずつのブロック意匠３３、３３を設けてなるブロック意匠パターン３４を有するように成形されてなる。
【００１９】
ブロック意匠パターン３４のうち、溝２４、２６、２８、３０、３２を有する二段意匠の場合の意匠高さ３５と最小寸法３６は、図７及び図８に示す通りであり、同パターン３４は、図３乃至図５に示した意匠高さ１４及び図５に示した意匠勾配１５と同様に示した意匠勾配が０度〜３度、図３、図４及び図６に示した最小寸法１６及び図８に示した最小寸法３６が２ｍｍ〜８ｍｍであり、トップには、凹凸模様がなく、フラットである。
【００２０】
上記各実施例に係る耐滑靴底では、床面に水や油などの流体があっても、図９に示すようにブロック意匠１０や、ブロック意匠２０、２３、２５、２７、２９、３３が変形することなく、これらの膜を切り、床面３９を捉え続けることができる。
【００２１】
図１に示した耐滑靴底であって、ミッドソールと接地部かからなる二層底について、安全靴技術指針（労働省産業安全研究所１９９１年３月）の耐滑性試験方法により動摩擦係数の計測をしたところ、次のような実験結果が得られた。
0003553041.tif 000002
0003553041.tif 000003
計測した動摩擦係数と体感値（傾斜床で体滑性を体感によって評価）とから、動摩擦係数が０．３６以上であると、安定感があり、動摩擦係数が０．３６みまんであると、色々な流体を想定した場合、重心の位置によって不安定になることがわっかた。
【００２２】
以上の実験結果により、接地部の上部を接地部（アウトソール）よりも硬いものでおさえた場合は、最薄部の厚さは１ｍｍ以上あればよい。しかし、実用上４ｍｍを超えると、重量が増加するだけでなく、屈曲性が低下するので、４ｍｍ以下にした方がよい。また、接地部の硬さは５４〜６２（ＪＩＳ−Ａ  ２０℃）が優れた耐滑性を示す。
【００２３】
【発明の効果】
本発明は、叙上のように構成したから、次のような効果を奏する。
（１）請求項１記載の発明では、接地部（アウトソール）のブロック意匠取付部が変形をおこさず、水や油などの流体がある床面において、これらの膜を切ることができて、床面をがっちりと捉え続けることができ、滑りを防止できる。
（２）請求項２記載の発明では、ブロック意匠が変形することがなく安定し、床面に対して引っ掛かりができて、ストップ性がよくなる。
【図面の簡単な説明】
【図１】本発明に係る耐滑靴底のブロック意匠パターンの一例を示す図である。
【図２】同耐滑靴底のブロック意匠パターンの別の例を示す図である。
【図３】同耐滑靴底を中底と接地部（アウトソール）とからなる二層に成形する場合の一部断面図である。
【図４】同耐滑靴底をミッドソールと接地部（アウトソール）とからなる二層に成形する場合の一部断面図である。
【図５】中底及びミッドソールを省き、同耐滑靴底のブロック意匠パターンにおける最薄部、意匠高さ、意匠勾配の関係を説明する図である。
【図６】上記ブロック意匠パターンにおける最小寸法を説明する図である。
【図７】上記ブロック意匠パターンにおける二段意匠の意匠高さを説明する図である。
【図８】上記二段意匠における最小寸法を説明する図である。
【図９】本発明に係る中底及びミッドソールを省いた耐滑靴底のブロック意匠が変形することなく油膜を切り床面をがっちり捉え続ける状態を示す図である。
【図１０】従来の耐滑靴底におけるノコギリ意匠の断面図である。
【図１１】図１０の平面図である。
【図１２】従来の耐滑靴底における打ち込み意匠の断面図である。
【図１３】図１２の平面図である。
【図１４】従来の耐滑靴底であって接地部（アウトソール）が柔らかい場合にブロック意匠が変形する状態を示す図である。
【図１５】従来の耐滑靴底であってミッドソールが柔らかくて接地部（アウトソール）が薄い場合にブロック意匠の取付部が変形する状態を示す図である。
【図１６】上記ノコギリ意匠が床面を滑ってしまう状態を示す図である。
【図１７】上記打ち込み意匠が床面の油膜を切れず床面を捉えられずに滑ってしまう状態を示す図である。
【符号の説明】
７  耐滑靴底
８  最薄部
９  不踏部
１０  ブロック意匠
１１  意匠パターン
１２  接地部（アウトソール）
１２Ａ  中底
１３  ミッドソール
１４  意匠高さ
１５  意匠勾配
１６  最小寸法
１７  耐滑靴底
１８  耐滑靴底
１９  踵後端部
２０  ブロック意匠
２１  ブロック意匠列
２２  不踏部
２３  ブロック意匠
２４  溝
２５、２５  ブロック意匠
２６  溝
２７、２７  ブロック意匠
２８  溝
２９、２９  ブロック意匠
３０、３０  溝
３１  窪み
３２  溝
３３、３３  ブロック意匠
３４  意匠パターン
３５  意匠高さ
３６  最小寸法
３９  床面
【図１】
0003553041.tif 000004
【図２】
0003553041.tif 000005
【図３】
0003553041.tif 000006
【図４】
0003553041.tif 000007
【図５】
0003553041.tif 000008
【図６】
0003553041.tif 000009
【図７】
0003553041.tif 000010
【図８】
0003553041.tif 000011
【図９】
0003553041.tif 000012
【図１０】
0003553041.tif 000013
【図１１】
0003553041.tif 000014
【図１２】
0003553041.tif 000015
【図１３】
0003553041.tif 000016
【図１４】
0003553041.tif 000017
【図１５】
0003553041.tif 000018
【図１６】
0003553041.tif 000019
【図１７】
0003553041.tif 000020